(57)【要約】【課題】  プラグラムタイマー本体の設定ボタン、あるいはコンピュータネットワークを経由した遠隔制御により、複数コンセントについて、複数件の予約設定が可能となり、また、温度表示や情報設定、動作確認、また過電圧・過電流・過温度からの保護などの機能を備え、安全な電源使用が可能となるプログラムタイマーの提供する。【解決手段】  プログラムタイマーの構造は、主に本体と本体を固定するホルダーからなり、本体には複数のコンセントを設け、内部の回路設計により各コンセントのON／OFF時間は最大８件まで予約設定でき、本体上の設定ボタン、または本体に設けられたＵＳＢ接続端子を利用したネットワークによる遠隔制御が可能となる。また、温度表示や、自動故障検知の機能も有し、電池を内蔵することにより異常時における自動バックアップも可能となる。【選択図】  図１
0003131897.tif 000002
【実用新案登録請求の範囲】
【請求項１】
プログラムタイマーの本体は上部ケース、底部ケース、複数の電源出力コンセント、電源入力ケーブル、複数の制御スイッチ、第一基板、第二基板、液晶パネル、設定キー等の部品から構成されてなり、該第一基板上には全ての指示設定プログラムのＩＣを配置し、第一基板の回路は第二基板と接続されており、第一基板と電源入力ケーブル、制御スイッチ、電源出力コンセントの配線もまた接続されており、該第二基板上には液晶パネル、及び設定キーが固定されており、該液晶パネル上には透明保護プレートが蓋着され、該設定キーにはスプリングを弾装した後、設定ボタンを冠着させることにより、外部から直接キーを押して設定でき、その上部には動作確認灯が設けられてなり、さらに第一基板上には電池が装着されており、プログラムタイマー内部にタイマー機能を供えることにより、停電の際にタイマーの作動に支障が起きるといった外部からの影響を防ぐことを可能とした構造であって、前記プラグラムタイマー本体を保持するホルダーは内縁部にネジ穴を設け、壁に固定ができ、ホルダー底部にプログラムタイマー本体を設置する構造を呈しており、該本体は温度表示や情報設定、また過電圧・過電流・過温度からの保護機能を備えるだけでなく、本体上の設定ボタンを利用し、簡単に複数コンセントについての複数件の予約設定が可能となることを特徴とする複数予約可能なプログラムタイマー。
【請求項２】
前記複数予約可能なプログラムタイマーにおいて、該プログラムタイマー本体内の第一基板上に電池を装着し、プログラムタイマー内部にタイマー機能を備えることにより、停電の際にタイマーの作動に支障が起きるといった外部からの影響がないことを特徴とする請求項１に記載の複数予約可能なプログラムタイマー。
【請求項３】
前記複数予約可能なプログラムタイマーにおいて、該プログラムタイマー本体内の第一基板上にＵＳＢ接続端子を設け、ＵＳＢ接続コードにより、プログラムタイマー本体と自宅のコンピュータとの接続や外部からのインターネット接続が可能となり、これによりインターネットを経由した遠隔制御が可能となることを特徴とする請求項１に記載の複数予約可能なプログラムタイマー。
【請求項４】
前記複数予約可能なプログラムタイマーにおいて、ホルダーの底部の外端には複数の電源プラグ固定具受けが設けられ、電源出力プラグを電源出力コンセントに差し込んだ際に電源プラグ固定具で電源出力プラグを固定することができることを特徴とする請求項１に記載の複数予約可能なプログラムタイマー。
【考案の詳細な説明】
【技術分野】
【０００１】
本考案は、複数予約可能なプログラムタイマーに関し、さらに詳しく言えば、液晶パネル、設定キー、動作確認灯、コンピュータへの接続端子から構成されたプログラムタイマーで、使用者がプログラムタイマー上の設定キー、あるいはコンピュータのネットワークを経由した遠隔制御により複数のコンセントについて複数件の予約設定が可能となるプログラムタイマーに関するものである。
【背景技術】
【０００２】
従来のプログラムタイマーに関して、従来のタイマーはダイヤル式であったが、現在ではデジタル式のタイマーが広く利用されている。その使用機能は早期の単純機能から現在の多機能を備えたタイマーに移行している。
【０００３】
しかしながら、一般のプログラムタイマーは電源出力コンセントが一口のみのものが多く、また、温度表示、自動故障検知機能、アラーム（目覚まし時計）機能、複数の予約時間設定、ネットワークを通じた遠隔制御、各種異常時のバックアップ機能（メモリー機能）などの機能を欠いたものが大半であった。
【特許文献１】特開２００５−１５７８９９号公報
【考案の開示】
【考案が解決しようとする課題】
【０００４】
本考案は、前記のプログラムタイマーの諸問題を鑑みて、本考案の複数予約可能なプログラムタイマーは、その特殊な回路設計と特殊構造により、各コンセントにつき、同時に複数のタイマー設定が可能となるものであり、以下に挙げる機能を有するものを提供しようとするものである。
１．温度表示の表示範囲は−５５℃〜１２５℃である。
２．デジタル時計は年、月、日、時、分、秒に対応している。
３．アラーム機能を有する。
４．コンセントはそれぞれ個別にON／OFF状態の設定ができ、各コンセントの最大予約件数は８件である。
５．停電時にもデジタル時計、及びプログラムタイマーの設定状態は記憶されている。
６．自動的に故障を検知する。
７．過電圧、過電流、過温度時に保護機能が作動する。
８．コンピュータのネットワークに接続し、遠隔制御が可能である。
本考案のプログラムタイマーは前記のような特性を備え、複数のコンセントについて、それぞれ複数件の予約設定、及び安全な電源使用を可能とするプログラムタイマーを提供することを目的とする。
【課題を解決するための手段】
【０００５】
前記の課題を解決するために、請求項１の考案は、プログラムタイマーの本体は上部ケース、底部ケース、複数の電源出力コンセント、電源入力ケーブル、複数の制御スイッチ、第一基板、第二基板、液晶パネル、設定キー等の部品から構成されてなり、該第一基板上には全ての指示設定プログラムのＩＣを配置し、第一基板の回路は第二基板と接続されており、第一基板と電源入力ケーブル、制御スイッチ、電源出力コンセントの配線もまた接続されており、該第二基板上には液晶パネル、及び設定キーが固定されており、該液晶パネル上には透明保護プレートが蓋着され、該設定キーにはスプリングを弾装した後、設定ボタンを冠着させることにより、外部から直接キーを押して設定でき、その上部には動作確認灯が設けられてなり、さらに第一基板上には電池が装着されており、プログラムタイマー内部にタイマー機能を供えることにより、停電の際にタイマーの作動に支障が起きるといった外部からの影響を防ぐことを可能とした構造であって、前記プラグラムタイマー本体を保持するホルダーは内縁部にネジ穴を設け、壁に固定ができ、ホルダー底部にプログラムタイマー本体を設置する構造を呈しており、該本体は温度表示や情報設定、また過電圧・過電流・過温度からの保護機能を備えるだけでなく、本体上の設定ボタンを利用し、簡単に複数コンセントについての複数件の予約設定が可能となることを特徴とする複数予約可能なプログラムタイマーである。
【０００６】
請求項２の考案は、前記複数予約可能なプログラムタイマーにおいて、該プログラムタイマー本体内の第一基板上に電池を装着し、プログラムタイマー内部にタイマー機能を備えることにより、停電の際にタイマーの作動に支障が起きるといった外部からの影響がないことを特徴とする請求項１に記載の複数予約可能なプログラムタイマーである。
請求項３の考案は、前記複数予約可能なプログラムタイマーにおいて、該プログラムタイマー本体内の第一基板上にＵＳＢ接続端子を設け、ＵＳＢ接続コードにより、プログラムタイマー本体と自宅のコンピュータとの接続や外部からのインターネット接続が可能となり、これによりインターネットを経由した遠隔制御が可能となることを特徴とする請求項１に記載の複数予約可能なプログラムタイマーである。
請求項４の考案は、前記複数予約可能なプログラムタイマーにおいて、ホルダーの底部の外端には複数の電源プラグ固定具受けが設けられ、電源出力プラグを電源出力コンセントに差し込んだ際に電源プラグ固定具で電源出力プラグを固定することができることを特徴とする請求項１に記載の複数予約可能なプログラムタイマーである。
【考案の効果】
【０００７】
本考案の複数予約可能なプラグラムタイマーによれば、使用者はプラグラムタイマー本体の設定ボタン、あるいはコンピュータネットワークを経由した遠隔制御により、複数コンセントについて、複数件の予約設定が可能である。また、温度表示や情報設定、動作確認、また過電圧・過電流・過温度からの保護が可能となる。
【考案を実施するための最良の形態】
【０００８】
上述の本考案の目的及び効果を達成するため、本考案が採用した技術的手段及びその構造について、以下に説明図及び実施例を用いてその特徴と効果を詳細に説明する。
図１から図４に示す本考案の実施例の電源装置を含んだプログラムタイマーは、主としてプログラムタイマー本体１と該本体１を固定した状態で壁への取り付けが可能となるホルダー２から構成され、該ホルダー２の内縁部にはネジ穴２１(図４)が設けられ、壁に固定することが可能になる。また、ホルダー底部２２にはプログラムタイマー本体１（及び、取り扱い説明書３）を設置することができ、また、ホルダー２の両側面部２３の前端が凸型を呈した係合凸縁部２４であり、プログラムタイマー本体１の上部ケース１１の側面に設けられた係合溝１１１と係合凸縁部２４が係合し一体となる構造からなる。
前述のホルダー２の底部２２の外端には、複数の電源プラグ固定具受け２５が設けられ、電源出力プラグ４を電源出力コンセント１３に差し込んだ際に電源プラグ固定具で電源出力プラグ４を固定することができる。
【０００９】
図４に示すように、プログラムタイマー本体１は上部ケース１１、底部ケース１２、複数の電源出力コンセント１３、電源入力ケーブル１４、複数の制御スイッチ１５、第一基板１６、第二基板１７、液晶パネル１８、及び設定キー等の部品から構成される。
前記の第一基板１６上に設けられた全ての指示設定プログラムのＩＣ １６１回路は第二基板１７と接続されており、第一基板１６と電源入力ケーブル１４、制御スイッチ１５、電源出力コンセント１３の配線もまた接続されている。
第二基板１７上には液晶パネル１８、及び設定キー１９が設けられ、該液晶パネル１８上には透明保護プレート１８１が蓋着され、設定キー１９はスプリング１９１を弾装した後、設定ボタン１９２を冠着させることにより、外部から直接キーを押して設定することが可能となる。さらにその上部には動作確認灯（１８２）が設けられている。
【００１０】
また、第一基板１６上には電池１６２が装着されており、プログラムタイマー内部にタイマー機能を提供することで、停電の際にタイマーの作動に支障が起きるといった外部からの影響を受けることがない。また、第一基板１６上にＵＳＢ接続端子１６３を設け、ＵＳＢ接続コード５により、プログラムタイマー本体１と自宅のコンピュータとの接続や外部からのインターネット接続が可能となり、これによりインターネットを経由した遠隔制御が可能となる。
【００１１】
以上の構成における作用について説明する。本考案の実施例のプラグラムタイマーは複数予約可能なプログラムタイマーは電源投入時、あるいはリセット時に自動検知システムが作動し、液晶パネルには０から９までの数字が順番に表示される。各数字は四回ずつ点滅する。「OKキー」を押すと、自動検知システムが終了し、操作音ON／OFFの設定画面に進む。液晶パネルには「SET BEEB」「０」「OFF」が表示される。「UPキー」を押すと表示は「SET BEEB」「１」「OＮ」に切り替わる。「UPキー」を押すことで操作音のON／OFFが選択できる。
【００１２】
「OKキー」を押し、操作音設定状態を確認後、デジタル時計設定画面に進む。液晶パネルの０６：０１：０１−１２：００：００はそれぞれ年、月、日、時、分、秒に対応しており、年の位置の数字が点滅している。「UPキー」を押すと、点滅箇所の数字が１ずつ上がる。「UPキー」を長押しすると、点滅箇所の数字が連続して増加する。「SELキー」を押すと、点滅箇所が次の桁に移動する。「UPキー」と「SELキー」を利用し、年、月、日、時、分、秒の時間設定を行う。
【００１３】
「OKキー」で設定時間を確認し、アラーム予約設定に進む。液晶パネルには時、分、秒に対応した００：００：００、及び「OFF」のマークが表示されている。「UPキー」を押すと、アラーム機能O
N／OFFのマークが交互に表示される。「OFF」表示の際に「OKキー」を押すと、アラーム設定を終了し、第５ステップに移行する。表示が「ON」の際に「OKキー」を押すと、アラーム予約時間の設定に進むので、「時」に該当する位置が点滅している際に「UPキー」を押して数字を一つずつ上げたり、「UPキー」を長押しして連続して数字を増加させアラーム予約時間を設定する。「SELキー」を押すと、次の桁に移動するので、同様に「UPキー」と「SELキー」を利用し、分、秒の値を設定する。
【００１４】
「OKキー」を押し、アラーム設定時間を確認した後、システムは作業状態に進む。液晶パネルには時刻（デジタル時計）が表示される。デジタル時計の作業状態の下で「OKキー」または「SELキー」を押してコンセント電源ON／OFF時間設定に進む。液晶パネルには第一コンセント予約設定１、通電時間０６：０１：０１−００：００：００（年、月、日、時、分、秒に対応）と表示される。「SELキー」を押すと第一、第二、第三コンセントの選択、または設定終了と切り替わる。「UPキー」を押すと対応するコンセントの通電開始時間設定の予約番号が１から８まで順に切り替わり選択できる。対応するコンセントの予約番号が表示された際に再度「OKキー」を押すと、予約時間編集状態に進む。「年」に該当する位置が点滅している際に「UPキー」を押して点滅している値を一つずつ上げたり、「UPキー」を長押しして連続して点滅する値を増加させる。「SELキー」を押すと、点滅位置が次の桁に移動する。
【００１５】
点滅位置が「秒」の位置にきた際に「SELキー」を押すと、該当する予約番号の電源投入時間と制御時間（ON/OFF時間の設定画面）が交互に切り替わる。電源投入時間の表示と同時に「ON」も表示され、制御時刻表示の際には「OFF」が表示される。予約時間編集状態で「OKキー」を押すと、該当する予約番号のON／OFF時間を確定すると同時に設定が保存される。液晶パネルには次の通電時間の設定画面が表示される。「OKキー」を押して、設定したい予約番号のON／OFF時間設定編集画面に進む。この操作を繰り返すと、１〜３のコンセントについて、それぞれ８件までの予約時間設定の編集を行う。なお、３０秒間連続してキーに触れず放置していると、自動的に編集作業を終了し、時刻表示画面に切り替わる。また、各予約時刻の制御（OFF）時間は必ず電源投入時間より後であること、また予約番号が後になる場合、その電源投入（ON）時間の設定は、一つ前の予約番号の制御（OFF）時間よりも後でなければ、設定が無効となり、設定確認の際に「OKキー」を押しても、再び該当する予約番号の予約時間編集画面に戻るので注意が必要。
【００１６】
システムには電池が内蔵されており、停電時にデジタル時計、及びプログラムタイマーの設定状態が消失することはない。電源出力コンセントは過電圧、過電流、過温度時の保護機能を備えており、過電流、過温度、停電の際には対応するコンセントが自動的に遮断され、該当するコンセントの状態が点滅表示される。過電流、過温度、停電が復旧した後にも自動的に電源が投入されることはない。「UPキー」を押し、液晶パネルに「OP」が表示されたら、続けて、０で電源制御（OFF）、１で電源投入（ON）を設定し、「OKキー」を押すと各コンセントが故障前の状態に相当した電源投入、または制御状態に復元される。なお、３０秒間連続してキーに触れず放置すると、時刻表示画面に切り替わる。
【００１７】
本考案の実施例の複数予約可能なプログラムタイマーによると、前記のような実施方法で複数のコンセントについて、使用者はプラグラムタイマー本体の設定ボタン、あるいはコンピュータネットワークを経由した遠隔制御により、複数コンセントについて、複数件の予約設定が可能である。また、温度表示や情報設定、動作確認、また過電圧・過電流・過温度からの保護が可能となる。
なお、本考案の特徴を損なうものでなければ、上記の実施例に限定されるものでないことは勿論である。
【図面の簡単な説明】
【００１８】
【図１】本考案の実施例の電源装置を含んだプラグラムタイマーの主要部の斜視図である。
【図２】本考案の実施例の電源装置を含んだプラグラムタイマーの主要部の平面図である。
【図３】本考案の実施例の電源装置を含んだプラグラムタイマーの主要部の側面図である。
【図４】本考案の実施例の電源装置を含んだプラグラムタイマーの主要部の分解斜視図である
【符号の説明】
【００１９】
１      プログラムタイマー本体
１１    上部ケース
１１１  係合溝
１２    底部ケース
１３    電源出力コンセント
１４    電源入力ケーブル
１５    制御スイッチ
１６    第一基板
１６１  ＩＣ
１６２  電池
１６３  ＵＳＢ接続端子
１７    第二基板
１８    液晶パネル
１８１  透明保護プレート
１８２  動作確認灯
１９    設定キー
１９１  スプリング
１９２  設定ボタン
２      ホルダー
２１    ネジ穴
２２    ホルダー底部
２３    ホルダー側面部
２４    係合凸縁部  
２５    電源プラグ固定具受け
３      取扱説明書
４      電源出力プラグ
４１    電源プラグ固定具
５      ＵＳＢ接続コード
【図１】
0003131897.tif 000003
【図２】
0003131897.tif 000004
【図３】
0003131897.tif 000005
【図４】
0003131897.tif 000006